(57)【要約】【課題】防振レンズ筐体に固定された固定ガイドバーに沿って往復移動させられるスライダが防振レンズ筐体の内壁にグリスを介して当接しても、該スライダが防振レンズ筐体から離れやすいレンズ装置を提供する。【解決手段】  防振レンズ筐体と、前記防振レンズ筐体に固定された固定ガイドバーと、一端面とその反対側の他端面を有し、前記一端面から他端面に貫通した開口であって前記固定ガイドバーが挿入されるガイド用開口が形成され、前記ガイド用開口に挿入された固定ガイドバーに沿って往復移動させられるスライダと、前記スライダに装着される防振レンズと、を備えるレンズ装置において、前記スライダの一端面に設けられた凸部であって、前記スライダの移動に伴って前記防振レンズ筐体の内壁に当接することにより前記スライダの移動範囲を規定するストッパを備え、前記ストッパは、前記防振レンズ筐体の内壁に当接する当接面を有し、前記当接面は、前記スライダの一端面の面積よりも小さい面積に設定されていることを特徴とする。【選択図】  図４
2009092704.tif 000002
【特許請求の範囲】
【請求項１】
防振レンズ筐体と、
前記防振レンズ筐体に固定された固定ガイドバーと、
一端面とその反対側の他端面を有し、前記一端面から他端面に貫通した開口であって前記固定ガイドバーが挿入されるガイド用開口が形成され、前記ガイド用開口に挿入された固定ガイドバーに沿って往復移動させられるスライダと、
前記スライダに装着される防振レンズと、
を備えるレンズ装置において、
前記スライダの一端面に設けられた凸部であって、前記スライダの移動に伴って前記防振レンズ筐体の内壁に当接することにより前記スライダの移動範囲を規定するストッパを備え、
前記ストッパは、前記防振レンズ筐体の内壁に当接する当接面を有し、
前記当接面は、前記スライダの一端面の面積よりも小さい面積に設定されていることを特徴とするレンズ装置。
【請求項２】
防振レンズ筐体と、
前記防振レンズ筐体に固定された固定ガイドバーと、
一端面とその反対側の他端面を有し、前記一端面から他端面に貫通した開口であって前記固定ガイドバーが挿入されるガイド用開口が形成され、前記ガイド用開口に挿入された固定ガイドバーに沿って往復移動させられるスライダと、
前記スライダに装着される防振レンズと、
を備えるレンズ装置において、
前記スライダの一端面が対向する前記防振レンズ筐体の内壁に設けられた凸部であって、前記スライダの移動に伴って前記スライダの一端面に当接することにより前記スライダの移動範囲を規定するストッパを備え、
前記ストッパは、前記スライダの一端面に当接する当接面を有し、
前記当接面は、前記スライダの一端面の面積よりも小さい面積に設定されていることを特徴とするレンズ装置。
【請求項３】
前記ストッパは、先端に向かうにつれて先細りの形状に形成されており、
前記当接面は、前記ストッパの先端に設けられていることを特徴とする請求項１又は２に記載のレンズ装置。
【発明の詳細な説明】
【技術分野】
【０００１】
本発明はレンズ装置に係り、特に防振レンズ筐体に固定された固定ガイドバーに沿って往復移動させられるスライダ等を備えるレンズ装置に関する。
【背景技術】
【０００２】
本出願の出願人は、防振レンズ筐体に固定された固定ガイドバーに沿って往復移動させられるスライダ等を備えるレンズ装置について、先に出願している（特許文献１参照）。
【０００３】
この特許文献１に記載のレンズ装置においては、スライダ５４´にはその一端面から他端面に貫通したガイド用開口（図示せず）が形成されており、このガイド用開口には固定ガイドバー６０´が挿入されている。スライダ５４´にはマグネット（図示せず）と協同してアクチュエータを構成するモータコイル（図示せず）が装着され、このアクチュエータの作用により、スライダ５４´は、固定ガイドバー６０´に沿ってＸ方向に往復移動させられる。同様に、スライダ８４´にはその一端面から他端面に貫通したガイド用開口（図示せず）が形成されており、このガイド用開口には固定ガイドバー９０´が挿入されている。スライダ８４´にはマグネット（図示せず）と協同してアクチュエータを構成するモータコイル（図示せず）が装着され、このアクチュエータの作用により、スライダ８４´は、固定ガイドバー９０´に沿ってＹ方向に往復移動させられる。
【特許文献１】特願２００７−６５８９７号
【発明の開示】
【発明が解決しようとする課題】
【０００４】
しかしながら、特許文献１に記載のレンズ装置においては、スライダ５４´、８４´の一部である一端面又は他端面が防振レンズ筐体３６´の内壁に当接するが、該一端面又は他端面と防振レンズ筐体３６´の内壁との間にグリスを塗布すると、該グリスの粘着作用により、スライダ５４´、８４´が防振レンズ筐体３６´から離れにくいという問題があった。
【０００５】
本発明はこのような事情に鑑みてなされたもので、防振レンズ筐体に固定された固定ガイドバーに沿って往復移動させられるスライダが防振レンズ筐体の内壁にグリスを介して当接しても、該スライダが防振レンズ筐体から離れやすいレンズ装置を提供することを目的とする。
【課題を解決するための手段】
【０００６】
本発明は上記課題を解決するためになされたものであり、請求項１に記載の発明は、防振レンズ筐体と、前記防振レンズ筐体に固定された固定ガイドバーと、一端面とその反対側の他端面を有し、前記一端面から他端面に貫通した開口であって前記固定ガイドバーが挿入されるガイド用開口が形成され、前記ガイド用開口に挿入された固定ガイドバーに沿って往復移動させられるスライダと、前記スライダに装着される防振レンズと、を備えるレンズ装置において、前記スライダの一端面に設けられた凸部であって、前記スライダの移動に伴って前記防振レンズ筐体の内壁に当接することにより前記スライダの移動範囲を規定するストッパを備え、前記ストッパは、前記防振レンズ筐体の内壁に当接する当接面を有し、前記当接面は、前記スライダの一端面の面積よりも小さい面積に設定されていることを特徴とする。
【０００７】
請求項１に記載の発明によれば、ストッパは、防振レンズ筐体の内壁に当接する当接面を有しており、この当接面は、スライダの一端面の面積よりも小さい面積に設定されている。このため、ストッパは、この比較的小面積の当接面がグリスを介して内壁に当接することになるので、防振レンズ筐体の内壁から離れやすくなる。
【０００８】
請求項２に記載の発明は、防振レンズ筐体と、前記防振レンズ筐体に固定された固定ガイドバーと、一端面とその反対側の他端面を有し、前記一端面から他端面に貫通した開口であって前記固定ガイドバーが挿入されるガイド用開口が形成され、前記ガイド用開口に挿入された固定ガイドバーに沿って往復移動させられるスライダと、前記スライダに装着される防振レンズと、を備えるレンズ装置において、前記スライダの一端面が対向する前記防振レンズ筐体の内壁に設けられた凸部であって、前記スライダの移動に伴って前記スライダの一端面に当接することにより前記スライダの移動範囲を規定するストッパを備え、前記ストッパは、前記スライダの一端面に当接する当接面を有し、前記当接面は、前記スライダの一端面の面積よりも小さい面積に設定されていることを特徴とする。
【０００９】
請求項２に記載の発明によれば、請求項１に記載の発明とは逆に、ストッパは、スライダの一端面に当接する当接面を有しており、この当接面は、スライダの一端面の面積よりも小さい面積に設定されている。このため、ストッパは、この比較的小面積の当接面がグリスを介してスライダの一端面に当接することになるので、防振レンズ筐体の内壁から離れやすくなる。
【００１０】
請求項３に記載の発明は、請求項１又は２記載の発明において、前記ストッパは、先端に向かうにつれて先細りの形状に形成されており、前記当接面は、前記ストッパの先端に設けられていることを特徴とする。
【００１１】
請求項３に記載の発明によれば、ストッパは先端に向かうにつれて先細りの形状に形成されており、当接面はストッパの先端に設けられている。このため、ストッパは、この比較的小面積の当接面がグリスを介して内壁（又はストッパの一端面）に当接することになるので、防振レンズ筐体の内壁から離れやすくなる。
【発明の効果】
【００１２】
本発明によれば、防振レンズ筐体に固定された固定ガイドバーに沿って往復移動させられるスライダが防振レンズ筐体の内壁（又は、スライダの一端面）にグリスを介して当接しても、該スライダが防振レンズ筐体から離れやすいレンズ装置を提供することが可能となる。
【発明を実施するための最良の形態】
【００１３】
以下添付図面に従って、本発明に係るレンズ装置の好ましい実施の形態について詳説する。
【００１４】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１５】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００１６】
これらの第１乃至第４レンズ群１２〜１８は、レンズ鏡胴本体１１内に保持されている。また、レンズ鏡胴本体１１内には、光軸と平行な一対のガイドバー２８（一方は不図示）が挿通配置されており、この一対のガイドバー２８に第２レンズ群１４の保持枠３２及び第４レンズ群１８の保持枠３４がそれぞれスライド移動自在に支持されるとともに、第３レンズ群１６の筐体３６が一対のガイドバー２８に固定されている。なお、筐体３６をレンズ鏡胴本体１１に直接固定してもよい。
【００１７】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４が一対のガイドバー２８に沿って光軸方向に前後移動され、所望の焦点距離に調整される。
【００１８】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８が一対のガイドバー２８に沿って光軸方向に前後移動され、焦点が合わされる。
【００１９】
次に、防振機構の構造について説明する。
【００２０】
図２は、防振レンズ１６を装備した筐体３６を後方から見た斜視図であり、図３は、図２に示した筐体３６からアクチュエータを除いた斜視図である。また、図４は、図３の筐体３６を光軸Ｌ方向に見た図であり、図５は、図４からレンズ保持枠５０を取り外した状態を示している。また、図６は、防振機構の主要部のみを示す斜視図である。
【００２１】
これらの図に示す第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。ここで、防振レンズ１６の移動方向をＸ方向（図２〜図５の横方向）、Ｙ方向（図２〜図５の縦方向）とする。また、防振レンズ１６をＸ方向に移動させる機構をＸ移動機構、Ｙ方向に移動させる機構をＹ移動機構と称する。
【００２２】
まず、Ｘ移動機構について説明する。
【００２３】
図５に示すように、筐体３６には固定ガイドバー６０が取り付けられている。固定ガイドバー６０は、Ｘ方向に配置され、その両端部が筐体３６に固定されている。固定ガイドバー６０には、Ｌ状に形成されたスライダ５４の上辺部が係合される。スライダ５４の上辺部にはＸ方向にガイド孔（不図示）が形成されており、このガイド孔に固定ガイドバー６０が挿通されることによって、スライダ５４がＸ方向にスライド自在に支持される。
【００２４】
スライダ５４の左辺部には、移動ガイドバー５２が取り付けられている。移動ガイドバー５２は、Ｙ方向に配置され、スライダ５４の嵌合部５５、５５に嵌め込まれることによって、スライダ５４に固定されている。図４に示すように、移動ガイドバー５２には、レンズ保持枠５０のガイド部５６、５６が係合されている。レンズ保持枠５０のガイド部５６、５６は、スライダ５４の嵌合部５５、５５の外側（すなわち、図４の上側及び下側）に配置されており、このガイド部５６、５６には角孔（不図示）がＹ方向に貫通して形成されている。この角孔に円柱状の移動ガイドバー５２が挿通されることによって、レンズ保持枠５０がスライダ５４に係合される。これにより、レンズ保持枠５０は、移動ガイドバー５２に沿ってＹ方向にスライドすることができ、かつ、Ｘ方向にはスライダ５４と一体で移動するように構成される。図２に示すように、移動ガイドバー５２の下端部５２Ａは、筐体３６の下面に形成されたＸ方向の長孔３６Ａに係合されており、これによって、スライダ５４が光軸Ｌ方向に振れることが防止される。
【００２５】
前述したスライダ５４の上辺部には、図２に示すように、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は、防振レンズ１６の外側周辺でＸ方向に配設されており、また、フレキ６４にはホール素子等の位置センサ６６が位置決めされて固着されている。
【００２６】
フレキ６４は、モータコイル６２からＸ方向に引き出され、筐体３６の側面開口６８を介して筐体３６の外部に引き出される。外部に引き出されたフレキ６４は、Ｕ状に湾曲されて筐体３６の上面に貼り合わされた後、折り返されて重ねられ、さらにレンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、図３に示すようにスリット７０を介して筐体３６の端面に連通されており、このスリット７０にフレキ６４を通すことによってフレキ６４が側面開口６８の内部に配置される。
【００２７】
モータコイル６２の外側には、マグネット７２がモータコイル６２に対向して配置される。マグネット７２は、二つのマグネット片７２Ａ、７２ＢをＸ方向に配置することによって矩形の板状に形成されており、Ｓ極とＮ極がＸ方向に並ぶように、かつ、その上面と下面においてもＳ極とＮ極が異なるように構成される。前述した位置センサ６６は、マグネット７２のＸ方向の中央部（すなわち、マグネット片７２Ａ、７２Ｂの境界部）に対向して配置され、磁場の変化を検出し、その検出した信号を、フレキ６４を介して前記ユニットに出力する。
【００２８】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その四つの縁部がマグネット７２から突出した状態で取り付けられる。筐体３６の外面には、金属板の大きさの凹部が形成され、さらにその内側にマグネット７２の大きさの開口７４が貫通して形成されており、筐体３６の凹部に金属板が収納されるとともに開口７４にマグネット７２が収納される。
【００２９】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００３０】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上がＸ移動機構の構造である。
【００３１】
次に、Ｙ移動機構について説明する。
【００３２】
図５に示すように、筐体３６には固定ガイドバー９０が取り付けられている。固定ガイドバー９０は、Ｙ方向に配置され、その両端部が筐体３６に固定されている。固定ガイドバー９０には、Ｌ状に形成されたスライダ８４の上辺部が係合される。スライダ８４の上辺部にはＹ方向にガイド孔（不図示）が形成されており、このガイド孔に固定ガイドバー９０が挿通されることによって、スライダ８４がＹ方向にスライド自在に支持される。
【００３３】
スライダ８４の下辺部には、移動ガイドバー８２が取り付けられている。移動ガイドバー８２は、Ｘ方向に配置され、スライダ８４の嵌合部８５、８５に嵌め込まれることによって、スライダ８４に固定されている。図４に示すように、移動ガイドバー８２には、レンズ保持枠５０のガイド部８６、８７が係合されている。レンズ保持枠５０のガイド部８６は、スライダ８４の嵌合部８５、８５の間に配置されるとともに、Ｘ軸に直交する断面が、光軸Ｌの一方側に開口された凹状に形成されている。一方、ガイド部８７は、嵌合部８５、８５の外側に配置されるとともに、Ｘ軸に直交する断面が、外側（図の下側）に開口された凹状に形成されている。これらのガイド部８６、８７に移動ガイドバー８２が差し込まれることによって、レンズ保持枠５０がスライダ８４に係合される。これにより、レンズ保持枠５０は、移動ガイドバー８２に沿ってＸ方向にスライドすることができ、かつ、Ｙ方向にはスライダ８４と一体で移動するように構成される。
【００３４】
図６に示すように、スライダ８４にはガイド部８３が設けられている。ガイド部８３は、スライダ８４の下辺部の先端部（左端部）に設けられ、且つ、先端側（左側）が開口された凹状に形成されている。このガイド部８３には、ガイドバー８８が差し込まれ、摺動自在に係合される。ガイドバー８８は、Ｙ方向に配置されるとともに、その端部が筐体３６（図５参照）に固定されている。これにより、スライダ８４が光軸Ｌ方向に振れる（または倒れる）ことをガイドバー８８によって防止することができる。
【００３５】
前述したスライダ８４の右辺部には、図２に示すように、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は、防振レンズ１６の外側周辺でＹ方向に配設されており、また、フレキ９４にホール素子等の位置センサ９６が位置決めされて固着されている。
【００３６】
フレキ９４は、モータコイル９２からＹ方向に引き出され、筐体３６の側面開口９８を介して筐体３６の外部に引き出される。外部に引き出されたフレキ９４は、Ｕ状に湾曲されて筐体の外側面に貼り合わされた後、折り返されて重ねられ、さらに筐体３６の上面でフレキ６４に重ねられた後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００３７】
モータコイル９２の外側には、マグネット１０２がモータコイル９２に対向して配置される。マグネット１０２は、二つのマグネット片１０２Ａ、１０２ＢをＹ方向に配置することによって矩形の板状に形成されており、Ｓ極とＮ極がＹ方向に並ぶように、かつ、その右面と左面においてもＳ極とＮ極が異なるように構成される。前述した位置センサ９６は、マグネット１０２のＹ方向の中央部（すなわち、マグネット片１０２Ａ、１０２Ｂの境界部）に対向して配置され、磁場の変化を検出し、その検出した信号を、フレキ９４を介して前記ユニットに出力する。
【００３８】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その四つの縁部がマグネット１０２から突出した状態で取り付けられる。筐体３６の外面には、金属板の大きさの凹部が形成され、さらにその内側にマグネット１０２の大きさの開口１０４が貫通して形成されており、この筐体３６の凹部に金属板が収納されるとともに、開口１０４にマグネット１０２が収納される。
【００３９】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００４０】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００４１】
次に、スライダ５４、８４のＸ方向、Ｙ方向の移動範囲を規定するための構造について図面を参照しながら説明する。
【００４２】
図４に示すように、スライダ５４にはガイド用開口（図示せず）が形成されており、このガイド用開口には固定ガイドバー６０が挿入されている。スライダ５４にはマグネット７２と協同してアクチュエータを構成するモータコイル６２が装着されており、このアクチュエータの作用により、スライダ５４は、固定ガイドバー６０に沿ってＸ方向に往復移動させられる。
【００４３】
スライダ５４の固定ガイドバー６０に沿った両端面５４ａ、５４ｂそれぞれの固定ガイドバー６０近傍位置には、凸部であるストッパ４０、４１が設けられている。このストッパ４０、４１は、スライダ５４のＸ方向の往復移動に伴って、防振レンズ筐体３６の内壁に当接する。これにより、スライダ５４の移動が阻止され、移動範囲が規定される。
【００４４】
このように、スライダ５４の固定ガイドバー６０に沿った両端面５４ａ、５４ｂそれぞれの固定ガイドバー６０近傍位置にストッパ４０、４１を設けたので、各ストッパ４０、４１が防振レンズ筐体３６の内壁に当接した場合に発生するモーメントが従来と比較して小さくなる。従って、スライダ５４が各ストッパ４０、４１を支点としてゆがんだり、傾いたりすることを防止又は低減することが可能となる。
【００４５】
各ストッパ４０、４１と防振レンズ筐体３６の内壁との間には潤滑のためにグリスが塗布されている。しかし、図７、図８に示すように、各ストッパ４０、４１は、防振レンズ筐体３６の内壁に当接する当接面４０ａ、４１ａを有し、この当接面４０ａ、４１ａは、それぞれ、スライダ５４の一端面５４ａ、他端面５４ｂの面積よりも小さい面積に設定されている。例えば、図７、図８に示すように、ストッパ４０、４１は、先端に向かうにつれて先細りの四角錐形状に形成されており、当接面４０ａ、４１ａは、この先細りのストッパ４０、４１の先端に設けられている。このため、各ストッパ４０、４１は、この比較的小面積の当接面４０ａ、４１ａがグリスを介して内壁に当接することになるので、防振レンズ筐体３６の内壁から離れやすくなっている。なお、ストッパ４０、４１は、四角錐形状に限定されず、円錐、三角錐等の形状であってもよいし、又は、円柱、三角柱等の形状であってもよい。
【００４６】
同様に、図４に示すように、スライダ８４にはガイド用開口（図示せず）が形成されており、このガイド用開口には固定ガイドバー９０が挿入されている。スライダ８４にはマグネット１０２と協同してアクチュエータを構成するモータコイル９２が装着されており、このアクチュエータの作用により、スライダ８４は、固定ガイドバー９０に沿ってＹ方向に往復移動させられる。
【００４７】
スライダ８４の固定ガイドバー９０に沿った両端面８４ａ、８４ｂそれぞれの固定ガイドバー９０近傍位置には、凸部であるストッパ４２、４３が設けられている。このストッパ４２、４３は、スライダ８４のＹ方向の往復移動に伴って、防振レンズ筐体３６の内壁に当接する。これにより、スライダ８４の移動が阻止され、移動範囲が規定される。
【００４８】
このように、スライダ８４の固定ガイドバー９０に沿った両端面８４ａ、８４ｂそれぞれの固定ガイドバー９０近傍位置にストッパ４２、４３を設けたので、各ストッパ４２、４３が防振レンズ筐体３６の内壁に当接した場合に発生するモーメントが従来と比較して小さくなる。従って、スライダ８４が各ストッパ４２、４３を支点としてゆがんだり、傾いたりすることを防止又は低減することが可能となる。
【００４９】
各ストッパ４２、４３と防振レンズ筐体３６の内壁との間には潤滑のためにグリスが塗布されている。しかし、図９、図１０に示すように、各ストッパ４２、４３は、防振レンズ筐体３６の内壁に当接する当接面４２ａ、４３ａを有し、この当接面４２ａ、４３ａは、それぞれ、スライダ８４の一端面８４ａ、他端面８４ｂの面積よりも小さい面積に設定されている。例えば、図９、図１０に示すように、ストッパ４２、４３は、先端に向かうにつれて先細りの四角錐形状に形成されており、当接面４２ａ、４３ａは、この先細りのストッパ４２、４３の先端に設けられている。このため、各ストッパ４２、４３は、この比較的小面積の当接面４２ａ、４３ａがグリスを介して内壁に当接することになるので、防振レンズ筐体３６の内壁から離れやすくなっている。なお、ストッパ４２、４３は、四角錐形状に限定されず、円錐、三角錐等の形状であってもよいし、又は、円柱、三角柱等の形状であってもよい。
【００５０】
以上説明したように、本実施形態のレンズ装置１０によれば、ストッパ４０、４１（４２、４３）は、防振レンズ筐体３６の内壁に当接する当接面４０ａ、４１ａ（４２ａ、４３ａ）を有しており、この当接面４０ａ、４１ａ（４２ａ、４３ａ）は、それぞれ、スライダ５４の一端面５４ａ、他端面５４ｂ（スライダ８４の一端面８４ａ、他端面８４ｂ）の面積よりも小さい面積に設定されている。このため、ストッパ４０、４１（４２、４３）は、この比較的小面積の当接面４０ａ、４１ａ（４２ａ、４３ａ）がグリスを介して内壁に当接することになるので、防振レンズ筐体３６の内壁から離れやすくなる。
【００５１】
次に、変形例について説明する。
【００５２】
上記実施形態では、ストッパ４０、４１（４２、４３）を、スライダ５４（８４）の一端面５４ａ（８４ａ）及び他端面５４ｂ（８４ｂ）に設けるように説明したが、本発明は、これに限定されない。例えば、ストッパ４０、４１（４２、４３）を、スライダ５４（８４）に設けることなく、スライダ５４（８４）の一端面５４ａ、他端面５４ｂ（一端面８４ａ、他端面８４ｂ）が対向する防振レンズ筐体３６の内壁及びスライダ５４（８４）の他端面５４ａ、他端面５４ｂ（一端面８４ａ、他端面８４ｂ）が対向する防振レンズ筐体３６の内壁に設けるようにしてもよい。
【００５３】
これにより、ストッパ４０、４１（４２、４３）は、比較的小面積の当接面４０ａ、４１ａ（４２ａ、４３ａ）がグリスを介してスライダ５４（８４）の一端面５４ａ、他端面５４ｂ（一端面８４ａ、他端面８４ｂ）に当接することになるので、防振レンズ筐体３６の内壁から離れやすくなる。
【００５４】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００５５】
【図１】実施の形態に係るレンズ装置を示す側断面図である。
【図２】防振レンズを装備した筐体を後方から見た斜視図である。
【図３】図２の筐体からアクチュエータを除いた斜視図である。
【図４】図３の防振機構を光軸方向に見た図である。
【図５】図４の防振機構からレンズ保持枠を除いた図である。
【図６】筐体を除く防振機構の主要部品を示す斜視図である。
【図７】ストッパの斜視図である。
【図８】ストッパの斜視図である。
【図９】ストッパの斜視図である。
【図１０】ストッパの斜視図である。
【図１１】従来例を説明するための図である。
【符号の説明】
【００５６】
１０…レンズ装置、１１…レンズ鏡胴本体、１２…第１レンズ群、１４…第２レンズ群、１６…第３レンズ群、１８…第４レンズ群、４０〜４３…ストッパ、４０ａ〜４３ａ…当接面、５０…レンズ保持枠、５２…移動ガイドバー（移動軸に相当）、５４…スライダ、５４ａ…一端面、５４ｂ…他端面、５６…ガイド部、６０…固定ガイドバー（固定軸に相当）、６４…フレキシブル基板、８２…移動ガイドバー（移動軸に相当）、８３…ガイド部、８４…スライダ、８４ａ…一端面、８４ｂ…他端面、８６、８７…ガイド部、８８…ガイドバー、９０…固定ガイドバー（固定軸に相当）、９４…フレキシブル基板
【図１】
2009092704.tif 000003
【図２】
2009092704.tif 000004
【図３】
2009092704.tif 000005
【図４】
2009092704.tif 000006
【図５】
2009092704.tif 000007
【図６】
2009092704.tif 000008
【図７】
2009092704.tif 000009
【図８】
2009092704.tif 000010
【図９】
2009092704.tif 000011
【図１０】
2009092704.tif 000012
【図１１】
2009092704.tif 000013